(57)【要約】      （修正有）【課題】炊飯器収納キャビネットフードを提供する。【解決手段】炊飯器収納キャビネットフード１０は、炊飯器収納キャビネットに配される炊飯器の上部領域で炊飯器収納キャビネットに着脱可能に結合されるケース２０と、ケース２０に結合されるフードユニット３０と、を含み、フードユニット３０は、炊飯器から排気される水蒸気が吸入される吸入部４０と、ダクト９０によって吸入部４０と連通される排出部５０と、吸入部４０と排出部５０との間に設けられ、吸入部４０に水蒸気を吸入して排出部５０に水蒸気が排出されるように吸入部４０に吸入力を提供する吸入駆動部６０と、吸入部４０の周りの温度及び湿度のうち少なくとも何れか一つを感知する感知部７０と、感知部７０によって感知された温度及び湿度のうち少なくとも何れか一つに基づいて、吸入駆動部６０の作動を制御する制御部を備えるメインボード８０と、を含むことを特徴とする。【選択図】図４
2009285208.tif 000002
【特許請求の範囲】
【請求項１】
炊飯器収納キャビネットに配される炊飯器の上部領域で前記炊飯器収納キャビネットに着脱可能に結合されるケースと、
前記ケースに結合されるフードユニットと、を含み、
前記フードユニットは、
前記炊飯器から排気される水蒸気が吸入される吸入部と、
ダクトによって前記吸入部と連通される排出部と、
前記吸入部と排出部との間に設けられ、前記吸入部に前記水蒸気を吸入して前記排出部に前記水蒸気が排出されるように前記吸入部に吸入力を提供する吸入駆動部と、
前記吸入部の周りの温度及び湿度のうち少なくとも何れか一つを感知する感知部と、
前記感知部によって感知された温度及び湿度のうち少なくとも何れか一つに基づいて、
前記吸入駆動部の作動を制御する制御部を備えるメインボードと、を含むことを特徴とする炊飯器収納キャビネットフード。
【請求項２】
前記吸入駆動部に対向して前記ケースの内部に配され、前記吸入駆動部の方向に風を提供して、前記吸入駆動部への前記水蒸気の吸入を促進させる吸入促進部をさらに含み、
前記制御部は、前記感知部によって感知された温度及び湿度のうち少なくとも何れか一つに基づいて、前記吸入促進部の作動を制御することを特徴とする請求項１に記載の炊飯器収納キャビネットフード。
【請求項３】
前記吸入促進部は、回転によって風を生成させる回転ファンであり、
前記回転ファンが設けられる前記吸入部の前記一側壁には、前記回転ファンの回転時に前記炊飯器から排出される前記水蒸気に向けて風を提供させる連通孔が貫通形成されていることを特徴とする請求項２に記載の炊飯器収納キャビネットフード。
【請求項４】
前記感知部は、
前記吸入部の背面に設けられて前記吸入部の周りの温度を感知する温度センサーを含み、
前記制御部は、前記温度センサーで感知された温度の変化に基づいて、前記吸入駆動部及び前記吸入促進部を選択的に作動させることを特徴とする請求項２に記載の炊飯器収納キャビネットフード。
【請求項５】
前記感知部は、
前記吸入部の背面に設けられて前記吸入部の周りの湿度を感知する湿度センサーを含み、
前記制御部は、前記湿度センサーで感知された湿度の変化に基づいて、前記吸入駆動部及び前記吸入促進部を選択的に作動させることを特徴とする請求項２に記載の炊飯器収納キャビネットフード。
【請求項６】
前記吸入駆動部は、前記ダクト内で前記ケースの前板の幅方向に沿って長く形成されるクロスフローファンを含むことを特徴とする請求項１に記載の炊飯器収納キャビネットフード。
【請求項７】
前記吸入部の背面には、隣接した領域に光を発光する少なくとも一つの発光部材が設けられ、
前記メインボードに電気的に連結されて前記少なくとも一つの発光部材を作動させる照明ボタンを備えるボタン部をさらに含むことを特徴とする請求項１に記載の炊飯器収納キャビネットフード。
【請求項８】
前記少なくとも一つの発光部材は、既定の距離ほど離隔配される複数個の発光ダイオード（ＬＥＤ）であり、前記吸入部の中央領域で下方に向けるように配されることを特徴とする請求項７に記載の炊飯器収納キャビネットフード。
【請求項９】
前記ボタン部は、
前記メインボードに電気的に連結されて前記吸入駆動部及び前記吸入促進部のうち少なくとも何れか一つを手動で動作させる手動ボタンをさらに含むことを特徴とする請求項７に記載の炊飯器収納キャビネットフード。
【請求項１０】
前記ケースは、
上部ケースと、
前記上部ケースに結合される下部ケースと、
前記上部ケース及び前記下部ケースの前面に結合され、前記排出部が着脱可能に結合される前面ケースと、を含み、
前記上部ケース、前記下部ケース及び前記前面ケースは、射出成形によって製作されることを特徴とする請求項１に記載の炊飯器収納キャビネットフード。
【請求項１１】
前記前面ケースが結合される前記上部ケース及び前記下部ケースの側面には、結合部分を遮蔽するための遮蔽キャップが着脱可能に結合されることを特徴とする請求項１０に記載の炊飯器収納キャビネットフード。
【請求項１２】
前記吸入部は、
前記下部ケースの下部に形成された第１ケースホールに対応する形で製作されて前記第１ケースホールにぴったり合う吸入フレームと、
前記ケースの内部に設けられるように前記吸入フレームの内側面に結合され、前記第１ケースホールに向けた方向及び前記ダクトに向けた方向が開放されて前記炊飯器から排気される水蒸気の移動通路を形成する吸入ケースと、を含むことを特徴とする請求項１０に記載の炊飯器収納キャビネットフード。
【請求項１３】
前記吸入駆動部と隣接した前記吸入ケースの移動通路には、前記水蒸気は通過させるが、前記吸入駆動部に異物が引入されることを遮断するためのスクリーン網が設けられていることを特徴とする請求項１２に記載の炊飯器収納キャビネットフード。
【請求項１４】
前記排出部は、
一側が前記ダクトに連結され、前記前面ケースに貫通形成された第２ケースホールにぴったり合う排出フレームと、
前記排出フレームに設けられる複数のグリルと、を含むことを特徴とする請求項１２に記載の炊飯器収納キャビネットフード。
【請求項１５】
前記複数のグリルは、排出される水蒸気の方向が変更可能に前記排出フレームに対してそれぞれの回転軸を中心に回転可能であることを特徴とする請求項１４に記載の炊飯器収納キャビネットフード。
【請求項１６】
前記ケースが、前記炊飯器収納キャビネットに対して摺動可能に前記フードユニットが装着された前記ケースの両側部には、レール溝及びレールのうち何れか一つが形成され、前記炊飯器収納キャビネットの両側壁には、前記レール溝及びレールのうち他の一つが形成されることを特徴とする請求項１に記載の炊飯器収納キャビネットフード。
【請求項１７】
前記ケースは、前記炊飯器から排気される水蒸気による腐蝕を防止するためにイージーアイ（ＥＧＩ）鉄板で製作されることを特徴とする請求項１に記載の炊飯器収納キャビネットフード。
【請求項１８】
前記メインボードに電気的に連結されて前記吸入駆動部の作動有無を表示する作動表示窓を備える表示部をさらに含むことを特徴とする請求項１に記載の炊飯器収納キャビネットフード。
【発明の詳細な説明】
【技術分野】
【０００１】
本発明は、炊飯器収納キャビネットフードに係り、より詳細には、炊飯器から排気される水蒸気を適切な方向に排出させうる炊飯器収納キャビネットフードに関するものである。
【背景技術】
【０００２】
最近、社会が高度化されるにつれて生活の質も以前に比べて向上しており、これによって、住居環境に対する関心が次第に高くなっている。特に、食生活がなされるキッチン環境に対する関心が高くなってキッチン環境を快適でありながらも、審美的に造成しようとする努力が、キッチン環境をインテリアする業体はもちろん、直接居住する人々によってなされており、このような環境を継続的に維持しようとする研究、例えば、室内環境の温度または湿度などを最も適切な状態で維持しようとする研究が実際に多様になされている。
【０００３】
近来のキッチン環境は、従来のキッチン環境と比べることができないほどに片付けられているだけではなく審美的にも向上し、多様な要素を収納する収納キャビネットが壁などに一体化されて空間を最大限活用できる構造を有している。
【０００４】
図１は、従来の一実施形態による炊飯器収納キャビネットなどが配されるキッチンの一部を図示した斜視図であって、これに図示されたように、キッチンに配される炊飯器収納キャビネット１０１には、電子レンジ、炊飯器、またはトースター器のような電子製品が配されることができ、またそれぞれの摺動収納ユニットには、食器、皿、コップのような食器が保管されることができる。ユーザーは、それぞれの摺動収納ユニットに所望の多様な物品を保管することができるので、品物管理を効率的でありながらもきれいにでき、これにより、キッチンの全体的な雰囲気を審美的に作ることができる効果がある。
【０００５】
一方、このような炊飯器収納キャビネット１０１に配される炊飯器１０５は、一般の保温釜、圧力釜、電気圧力釜などに種類が非常に多様であるが、このうち、特に電気圧力釜は、ガスレンジのように直接加熱する装置によって加熱されるものではなく、電力によってご飯を炊くことができてユーザーが容易に利用することができ、また、高圧下にご飯を炊くために良質のご飯を作ることができるために、最近、多く使われている。このような炊飯器１０５は、図１の炊飯器収納キャビネット１０１に配されることができ、必要によってユーザーは、炊飯器収納キャビネット１０１に対して炊飯器１０５が配された棚部１０８を摺動させることができるために、ご飯をよそうなどの所定の作業を便利にできる長所を有する。
【発明の開示】
【発明が解決しようとする課題】
【０００６】
しかしながら、上記従来の構成では、以下の問題が生じる。
【０００７】
従来の一実施形態による炊飯器収納キャビネット１０１においては、ご飯を炊く時、または炊飯器１０５からご飯を取り出す時、炊飯器１０５から排気される水蒸気が木材または金属材質の炊飯器収納キャビネット１０１から抜け出すことができずに炊飯器収納キャビネット１０１の隅々に入り込みまたは炊飯器収納キャビネット１０１の上部に設けられている収納キャビネットなどに到逹して炊飯器収納キャビネット１０１及び収納キャビネットなどを腐蝕させるか、またはかびなどの異物が生息することができる環境を提供することでユーザーの健康まで損なう恐れがある。
【０００８】
したがって、炊飯器などから排気される水蒸気などを吸入した後、水蒸気を適切な方向に排出させうる装置が開発されれば、前述した問題点を解決できるはずなので、このような装置の開発が必要な実情である。
【０００９】
本発明は、上記の問題点に鑑みてなされたものであり、その目的は、炊飯器から排気される水蒸気を吸入した後、再び空気中に排出することで炊飯器から排気される水蒸気による炊飯器収納キャビネットの一部領域の腐蝕などを防止でき、また、温度または湿度の変化を感知して自動で作動するために、ユーザーが便利に使える炊飯器収納キャビネットフードを提供することである。
【課題を解決するための手段】
【００１０】
前記目的は、本発明によって、炊飯器収納キャビネットに配される炊飯器の上部領域で前記炊飯器収納キャビネットに着脱可能に結合されるケースと、前記ケースに結合されるフードユニットと、を含み、前記フードユニットは、前記炊飯器から排気される水蒸気が吸入される吸入部と、ダクトによって前記吸入部と連通される排出部と、前記吸入部と排出部との間に設けられ、前記吸入部に前記水蒸気を吸入して前記排出部に前記水蒸気が排出されるように前記吸入部に吸入力を提供する吸入駆動部と、前記吸入部の周りの温度及び湿度のうち少なくとも何れか一つを感知する感知部と、前記感知部によって感知された温度及び湿度のうち少なくとも何れか一つに基づいて、前記吸入駆動部の作動を制御する制御部を備えるメインボード（Ｍａｉｎ  Ｂｏａｒｄ）と、を含むことを特徴とする炊飯器収納キャビネットフードによって達成される。
【００１１】
ここで、前記炊飯器収納キャビネットフードは、前記吸入駆動部に対向して前記ケースの内部に配され、前記吸入駆動部の方向に風を提供して前記吸入駆動部への前記水蒸気の吸入を促進させる吸入促進部をさらに含み、前記制御部は、前記感知部によって感知された温度及び湿度のうち少なくとも何れか一つに基づいて、前記吸入促進部の作動を制御できる。
【発明の効果】
【００１２】
本発明によれば、炊飯器から排気される水蒸気を吸入した後、再び空気中に排出することで炊飯器から排気される水蒸気による炊飯器収納キャビネットの一部領域の腐蝕などを防止でき、また、温度または湿度の変化を感知して自動で作動するために、ユーザーが便利に使うことができる。
【発明を実施するための最良の形態】
【００１３】
本発明と本発明の動作上の利点及び本発明の実施によって達成される目的を十分に理解するためには、本発明の望ましい実施形態を例示する図面及び図面に記載の内容を参照しなければならない。
【００１４】
以下、図２ないし図７を参照して、本発明の望ましい実施形態を説明することによって、本発明を詳しく説明する。各図面に付された同じ参照符号は、同じ部材を表わす。
【００１５】
図２は、本発明の一実施形態による炊飯器収納キャビネットフードが設けられた炊飯器収納キャビネットを概略的に図示した斜視図であり、図３は、図２に図示された炊飯器収納キャビネットフードの動作を説明するための図面であり、図４は、図２の炊飯器収納キャビネットフードを上側から眺めた斜視図であって、図５は、図２の炊飯器収納キャビネットフードを下側から眺めた斜視図であり、図６は、図２に図示された炊飯器収納キャビネットフードの平面図であって、図７は図２に図示された炊飯器収納キャビネットフードと炊飯器収納キャビネットとがレール構造によって結合されることを説明するための斜視図である。
【００１６】
これら図面に図示されたように、本発明の一実施形態による炊飯器収納キャビネットフード１０は、炊飯器５が配される炊飯器収納キャビネット１の上部領域で炊飯器収納キャビネット１と結合されるケース２０と、ケース２０に結合されるフードユニット３０とを含む。
【００１７】
まず、ケース２０は、図２及び図７に詳しく図示されたように、炊飯器５の上部領域で炊飯器収納キャビネット１に着脱可能に結合されることによって、ケース２０の内側に結合されるフードユニット３０を炊飯器５の上部領域に位置させる。ケース２０には、炊飯器収納キャビネット１に着脱可能に結合されるように移動レール２１が設けられており、また、フードユニット３０の形状に対応する多数のケースホール２３、２５が形成されている。
【００１８】
このようなケース２０は、相互組み立てられるように、下部ケース２４と、その上部に結合される上部ケース２２と、下部ケース２４及び上部ケース２２の前半部に着脱可能に結合される前面ケース２６とを備える。ここで、前面ケース２６は、‘コ’字状の断面を有するように設けられて上部ケース２２及び下部ケース２４の前半部領域が前面ケース２６の内側に挿設されうる。
【００１９】
このとき、審美感を向上させるために、前面ケース２６と、上部ケース２２及び下部ケース２４が相互結合される部分には遮蔽キャップ２８が結合され、これにより、炊飯器収納キャビネットフード１０の全体的な審美感を向上させうる。
【００２０】
一方、図７に詳しく図示されたように、ケース２０の両側壁部２４に形成されている移動レール２１は、炊飯器収納キャビネット１の上部の両側壁２に結合された固定レール４に係合される。したがって、本実施形態の炊飯器収納キャビネットフード１０は、炊飯器収納キャビネット１に対して相対的に摺動することができ、また、移動レール２１と固定レール４との間の結合を解除することで炊飯器収納キャビネット１から炊飯器収納キャビネットフード１０を分離させうる。このような構造によって炊飯器収納キャビネット１に対する炊飯器収納キャビネットフード１０の位置を制御できるだけではなく、炊飯器収納キャビネットフード１０を修理しなければならない場合、炊飯器収納キャビネット１から炊飯器収納キャビネットフード１０を容易に分離することができて修理作業などを便利にできる長所を有する。このとき、移動レール２１及び固定レール４には、炊飯器収納キャビネット１に対して炊飯器収納キャビネットフード２０が任意に相対移動することを沮止するためのストッパー（図示せず）が形成されることもできる。
【００２１】
また、ケース２０には、フードユニット３０の結合のための多数のケースホール２３、２５が形成されている。より詳細に説明すれば、下部ケース２４の下部には、後述するフードユニット３０の吸入部４０が結合される第１ケースホール２３が形成されており、前面ケース２６には、後述するフードユニット３０の排出部５０が結合される第２ケースホール２５が形成されている。第１ケースホール２３及び第２ケースホール２５は、フードユニット３０の吸入部４０及び排出部５０の一部を外部に露出させる役割を果たすと同時に、フードユニット３０をケース２０内に位置を維持させる役割を担当する。
【００２２】
このようなケース２０は、炊飯器５から排気される水蒸気７による腐蝕を防止するためにアルミニウム（Ａｌｕｍｉｎｉｕｍ）などの金属で製作され、さらにアルミニウムが有する特性によって審美的な効果も発生させうる。
【００２３】
一方、フードユニット３０は、炊飯器５から排気される水蒸気７を吸入して空気中に吸入された水蒸気７を排出する部分であって、炊飯器５から排気される水蒸気７を吸入する吸入部４０と、ダクト９０によって吸入部４０と連通されて吸入部４０によって吸入された水蒸気７を空気中に排出する排出部５０と、吸入部４０と排出部５０とを連通させるダクト９０内に設けられて炊飯器５から排気される水蒸気７を吸入することができる吸入力を提供するクロスフローファン６１（Ｃｒｏｓｓ  Ｆｌｏｗ  Ｆａｎ）を備える吸入駆動部６０と、吸入部４０の一側壁に隣接して位置するようにケース２０の内部に配され、吸入駆動部６０の方向に風を提供して炊飯器５から排気される水蒸気７が吸入駆動部６０に吸入されることを促進する吸入促進部６５と、吸入部４０の周りの温度または湿度を感知する感知部７０と、感知部７０によって感知された温度または湿度に基づいて、吸入駆動部６０及び吸入促進部６５を作動させる制御部（図示せず）を備えたメインボード８０とを含む。
【００２４】
まず、吸入部４０は、ケース２０の下部ケース２４に形成された第１ケースホール２３に対応する形で製作されて第１ケースホール２３にぴったり合う吸入フレーム４１と、ケース２０の内部に向けるように吸入フレーム４１に結合される構造を有し、第１ケースホール２３の方向及びダクト９０に向けた方向が開放された吸入ケース４５とを備える。
【００２５】
吸入フレーム４１は、図６に詳しく図示されたように、吸入部４０がケース２０に支持結合されるように、ケース２０の内部で下部ケース２４と接触されるが、中央領域が方形に貫通形成されるフレーム板４２と、フレーム板４２の中央領域のフレーム部分に延設されて第１ケースホール２３の外部に突出される突出フレーム４３とを備える。このような吸入フレーム４１は、ケース２０と同様に耐蝕性が強いアルミニウム材質で形成されて炊飯器５から排気される水蒸気７などによって腐蝕されるか、かびのような異物が生成されることを防止できる。
【００２６】
吸入ケース４５は、吸入フレーム４１の内側、すなわちケース２０の内部に向けた方向を向けるように吸入フレーム４１の突出フレーム４３に結合される。吸入ケース４５は、プラスチック（Ｐｌａｓｔｉｃ）材質で射出成形によって製作され、炊飯器５から排気された水蒸気７がダクト９０内に移動できるように第１ケースホール２３に向けた方向とダクト９０に向けた方向とが開口されている。すなわち、吸入ケース４５は、直方体状を有するが、下面とダクト９０に向けた一側面が開放された形状を有し、開放された下面を通じて炊飯器から排気された水蒸気７が吸入されて開放された一側面を通じて吸入された水蒸気７がダクト９０内に流入される。このとき、吸入ケース４５を通じて排気された水蒸気７を吸入できるように吸入ケース４５と隣接したダクト９０内には、後述する吸入駆動部６０が配される。
【００２７】
そして、ダクト９０の方向に開口された吸入ケース４５には、スクリーン網（図示せず）が設けられうる。クロスフローファン６１の作動時、人が吸入ケース４５内に手を入れれば、クロスフローファン６１によってけがをする恐れがあるが、このようなスクリーン網は、このような接近を遮断することで人がけがをすることを防止できる。また、スクリーン網は、水蒸気７を除外した他の異物をフィルタリングする役割を果たすことで吸入駆動部６０が異物によって壊れることを防止する。
【００２８】
また、図６に詳しく図示されたように、吸入部４０の背面には、複数個の発光部材４８が離隔配される。複数個の発光部材４８は、多様な長所を有した発光ダイオード４８（ＬＥＤ、Ｌｉｇｈｔ  Ｅｍｉｔｔｉｎｇ  Ｄｉｏｄｅ）に設けられ。炊飯器５が配された下方に向けて光を発光することでユーザーが明るい環境で仕事をできるようにする。また、発光ダイオード４８は、発光効率、電力消耗、寿命などの諸般の状況で多くの長所があって、各種電子表示部品として脚光を浴びており、既存の電球ランプのように目が眩しいか、エレメント（Ｅｌｅｍｅｎｔ）の短絡なしに小型で製作が可能であるために、本実施形態のように前面発光シートに効率的に配列されることができるだけでなく、また、半永久的な寿命を有することでその活用度において優れた長所を有しているために、本実施形態の発光部材４８として望ましい。
【００２９】
このような長所を有した発光ダイオード４８は、図５及び図６に図示されたように、後述する排出部５０の排出フレーム５１に設けられた照明ボタン５８によってオン／オフ（Ｏｎ／Ｏｆｆ）されうる。ボタン部５５には、照明ボタン５８の以外にも手動ボタン５６及び電源ボタン５７がさらに備えられるが、このようなボタン部５５は、後述するメインボード８０に電気的に連結されて炊飯器収納キャビネットフード１０を手動で動作させるか、炊飯器収納キャビネットフード１０の電源をオン／オフするか、または前述したように、吸入部４０の背面に配された発光ダイオード４８をオン／オフする役割を担当する。
【００３０】
一方、排出部５０は、図５に図示されたように、ダクト９０によって吸入部４０と連通されて吸入部４０から吸入される水蒸気７を室内空気中に排出する役割を果たす部分であって、ケース２０の前面ケース２６に貫通形成された第２ケースホール２５にぴったり合う排出フレーム５１と、排出フレーム５１の一領域に設けられる複数のグリル５２（Ｇｒｉｌｌ）とを備える。
【００３１】
排出フレーム５１は、排出部５０がケース２０に対してその位置を維持できるように第２ケースホール２５に支持結合される部分であって、前述したボタン部５５及び後述する表示部９５などが設けられている。排出フレーム５１は、ケース２０と同様にアルミニウム材質で形成されて複数のグリル５２を通じて排出される水蒸気７による腐蝕を防止できる。
【００３２】
複数のグリル５２は、排出フレーム５１に対してそれぞれの回転軸を中心に回転可能でダクト９０を通じて移動した水蒸気７の方向を調節することができる。これにより、グリル５２を通じて排出される水蒸気７が人または腐蝕されやすい物品に到逹することを防止できる。
【００３３】
吸入駆動部６０は、図３に図示されたように、吸入部４０と排出部５０とを連通させるダクト９０の内部でケース２０の前面ケース２６の幅方向に長く形成されるクロスフローファン６１を備える。クロスフローファン６１は、吸入ケース４５に所定大きさの吸入力を提供して炊飯器５から排気される水蒸気７を適切に吸入することができ、また、吸入された水蒸気７がダクト９０に付いて移動した後、排出部５０のグリル５２を通じて排出されるようにする。
【００３４】
クロスフローファン６１は、ダクト９０内で少ない空間を占めるために、炊飯器収納キャビネットフード１０の全体大きさをスリム化することができる長所がある。そして、水蒸気７が吸入されてすぐ排出されるダクト９０内に設置が可能で、他の種類のファンに比べて炊飯器５から排気される水蒸気７を十分に吸入することができる十分な吸入力を発生させることができ、これにより、炊飯器５の周りの炊飯器収納キャビネット１が水蒸気による腐蝕を効果的に防止できる。
【００３５】
一方、吸入駆動部６０によって炊飯器５から排気される水蒸気７の吸入効率を向上させるために、図３ないし図５に図示されたように、ケース２０の内部には吸入促進部６５が装着されており、吸入促進部６５の駆動時、水蒸気７に向けて風を提供できるように吸入ケース６５の一側壁には、連通孔４９（図６参照）が貫通形成されている。本実施形態の吸入促進部６５は、回転によって風を生成させる回転ファン６５に設けられ、このような回転ファン６５とクロスフローファン６１とが実質的に同時に作動して炊飯器５から排気される水蒸気７を円滑に排出部５０の方向に移動させる。このような回転ファン６５は、図４に図示されたように、排出部５０が設けられた方向を前方に見る時に吸入ケース４５の後側壁に隣接して設けられ、したがって、吸入駆動部４０の方向に風を提供できる。
【００３６】
一方、本発明の一実施形態の炊飯器収納キャビネットフード１０は、炊飯器５から排気される水蒸気７の温度または湿度を感知する感知部７０と、感知部７０によって感知された温度または湿度に基づいて、吸入駆動部６０及び吸入促進部６５を自動で作動させる制御部（図示せず）を備えるメインボード８０とを含む。
【００３７】
感知部７０は、吸入ケース４５の背面に設けられるが、吸入部４０の周りの温度を感知する温度センサー７１と、吸入部４０の周りの湿度を感知する湿度センサー７５とを備える。温度センサー７１及び湿度センサー７５は、吸入部４０の周りの温度及び湿度を継続的に感知した後、これを制御部に送る役割を担当する。
【００３８】
制御部は、温度センサー７１及び湿度センサー７５から受信された温度及び湿度に基づいて、吸入駆動部６０及び吸入促進部６５の作動を選択的に制御するが、本実施形態では、室内の大気温度に比べて吸入部４０の周りの温度及び湿度が急に変わる場合などに限ってのみ吸入駆動部６０及び吸入促進部６５の作動を制御する。
【００３９】
例えば、室内の大気温度が１８℃に維持されてからご飯を炊く場合や、またはご飯を食器によそう時に発生する水蒸気７によって吸入部４０の周りの温度が現在測定された大気温度である１８℃に比べて既定の温度ほど高くなる場合、例えば、２〜３℃ほど高くなる場合、温度センサー７１で感知された温度情報に基づいて制御部は、温度変化が既定の基準を外れる場合に限ってのみ吸入駆動部６０及び吸入促進部６５にオンさせて炊飯器５から排気される水蒸気７を吸入する。
【００４０】
炊飯器５から湿気が排出される場合、吸入部４０の周りの湿度が上がるしかないが、湿度センサー７５から感知された湿度情報に基づいて制御部は、湿度変化が既定の基準を外れる場合、吸入駆動部６０及び吸入促進部６５にオンさせて炊飯器５から排気される水蒸気７を吸入ケース４５を通じて吸入する。
【００４１】
但し、本実施形態では、吸入ケース４５の背面に温度センサー７１及び湿度センサー７５をすべて装着して吸入ケース４５の周りの温度及び湿度を感知し、該感知された値に基づいて、吸入駆動部６０及び吸入促進部６５の作動を選択的に制御する構成を有するが、温度センサー７１及び湿度センサー７５のうち一つのセンサーのみ吸入部４０に装着されてこれに基づいて、吸入駆動部６０及び吸入促進部６５の作動を制御することもできる。
【００４２】
このように、本実施形態では、吸入部４０の背面に感知部７０が装着されて感知部７０が温度または湿度を感知し、該感知された温度及び湿度情報を制御部に送った後、制御部がこれら情報に基づいて、吸入駆動部６０及び吸入促進部６５を自動で制御することでユーザーが炊飯器５から水蒸気７が排気される度に炊飯器収納キャビネットフード１０を手動で作動させる煩わしさを無くすことができる効果がある。
【００４３】
一方、前述したように、本実施形態の炊飯器収納キャビネットフード１０は、排出部５０の一側にボタン部５５の手動ボタン５６を設けることによって、感知部７０に故障が発生する場合などにおいて炊飯器収納キャビネットフード１０の吸入駆動部６０及び吸入促進部６５を手動で作動させるようにしている。
【００４４】
また、本実施形態の炊飯器収納キャビネットフード１０は、排出部５０の一領域に表示部９５が設けられいる。表示部９５は、ボタン部５５の電源ボタン５７の押し動作によってオン／オフされる電源表示窓９６と、照明ボタン５８の押し動作によってオン／オフされる照明表示窓９４と、吸入駆動部６０及び吸入促進部６５の動作有無を表示する作動表示窓９８を備え、これによりユーザーは、炊飯器収納キャビネットフード１０の動作有無を容易に確認することができる効果がある。
【００４５】
以下では、このような構成を有する炊飯器収納キャビネットフード１０の作動方法について説明する。
【００４６】
まず、本実施形態の炊飯器収納キャビネットフード１０の普段の状態、すなわち炊飯器５から水蒸気７が排気されない状態について先に説明すれば、炊飯器収納キャビネットフード１０の吸入部４０に装着された感知部７０、すなわち温度センサー７１または湿度センサー７５は、吸入部４０の周りの温度及び湿度を感知するが、急激な温度変化や湿度変化が発生する場合に限って吸入駆動部６０及び吸入促進部６５の作動を選択的に制御する制御部は、温度変化や湿度変化が既定の基準を超過しない場合、吸入駆動部６０または吸入促進部６５を作動させない。このときにも、もちろん吸入部４０の周り領域を照らすなどの作業をしようとする場合、ボタン部５５の照明ボタン５８を押すことで炊飯器５の周り領域を明るく照らすことができる。このとき、表示部９５の照明表示窓９７が点灯されることで発光ダイオード４８のオン／オフ有無を確認させる。
【００４７】
一方、ご飯を炊くか、または炊飯器５を開放してご飯をよそうなどの作業をする場合、すなわち炊飯器５から水蒸気７が排気される場合に、本実施形態の炊飯器収納キャビネットフード１０が作動する方法について説明する。
【００４８】
炊飯器５から水蒸気７が発生する場合、炊飯器５の上部に位置する吸入部４０の周りの温度及び湿度は急激に上昇する。感知部７０の温度センサー７１及び湿度センサー７５は、このときの温度及び湿度を感知した後、これに対する温度情報及び湿度情報を制御部に送信する。制御部は、温度センサー７１及び湿度センサー７５によって感知された温度及び湿度の変化が所定の基準を超過する場合、すなわち温度及び湿度が短時間内に急激に上昇する場合などにおいて吸入駆動部６０のクロスフローファン６１と、本実施形態の吸入促進部６５である回転ファン６５とを作動させる。
【００４９】
クロスフローファン６１が作動すれば、所定の吸入力が発生して炊飯器５から排気された水蒸気７が吸入ケース４５内に吸い込まれる。このとき、吸入促進部６５は、炊飯器５から排気される水蒸気７に向けて風を提供することで水蒸気７をより円滑に吸入駆動部４０の方向に移動させる。クロスフローファン６１は、吸入された水蒸気７をダクト９０内に流入させて流入された水蒸気７はダクト９０を通過した後、排出部５０の複数のグリル５２を通じて外部に排出される。複数のグリル５２は、それぞれの回転軸を中心に回転可能で水蒸気７の排出方向をある程度調節することができて、水蒸気７を空気中に適切に分散させうる。このとき、吸入駆動部６０が作動している場合、表示部９５の作動表示窓９８がオンになり、ユーザーは吸入駆動部６０の作動有無を確認することができる。
【００５０】
吸入駆動部６０及び吸入促進部６５は、炊飯器５から排気される水蒸気７の吸入が完了すれば、制御部の命令によってその動作が停止され、これらの作動が終了すると同時に表示部９５の作動表示窓９８もオフになる。
【００５１】
このように、本実施形態よれば、炊飯器５から排気される水蒸気７を吸入した後、再び空気中に排出することで炊飯器５から排気される水蒸気７による炊飯器収納キャビネット１の一部領域の腐蝕などを防止でき、また、温度または湿度の変化を感知して自動で作動するために、ユーザーが便利に使える効果がある。
【００５２】
また、吸入部４０の背面に配される複数の発光ダイオード４８によって必要によって隣近領域を発光させることができ、手動ボタン５６を備えることで必要時にユーザーが直接クロスフローファン６１を作動させて炊飯器５から排気される水蒸気７を他の所に排出させることができ、これにより、自動メカニズムの故障を補完することができる効果もある。
【００５３】
前述した実施形態では、フードユニットが装着されるケースと、炊飯器収納キャビネットの両側壁がレール構造によって結合されると前述したが、場合によっては、レール構造による結合ではないスクリュー結合などの他の結合でも良い。
【００５４】
このように、本発明は、前記実施形態に限定されるものではなく、本発明の思想及び範囲を外れずに多様に修正及び変形できるということは、当業者に自明なものである。したがって、そのような修正例または変形例は、本発明の特許請求の範囲に属すると言わなければならない。
【産業上の利用可能性】
【００５５】
本発明は、炊飯器収納キャビネットフードに関連の技術分野に適用可能である。
【図面の簡単な説明】
【００５６】
【図１】従来の一実施形態による炊飯器収納キャビネットを概略的に図示した斜視図である。
【図２】本発明の一実施形態による炊飯器収納キャビネットフードが設けられた炊飯器収納キャビネットを概略的に図示した斜視図である。
【図３】図２に図示された炊飯器収納キャビネットフードの動作を説明するための図面である。
【図４】図２の炊飯器収納キャビネットフードを上側から眺めた斜視図である。
【図５】図２の炊飯器収納キャビネットフードを下側から眺めた斜視図である。
【図６】図２に図示された炊飯器収納キャビネットフードの平面図である。
【図７】図２に図示された炊飯器収納キャビネットフードと炊飯器収納キャビネットとがレール構造によって結合されることを説明するための斜視図である。
【符号の説明】
【００５７】
１    炊飯器収納キャビネット
４    固定レール
５    炊飯器
１０    炊飯器収納キャビネットフード
２０    ケース
２３    第１ケースホール
２５    第２ケースホール
３０    フードユニット
４０    吸入部
４１    吸入フレーム
４５    吸入ケース
４８    発光ダイオード
５０    排出部
５１    排出フレーム
５２    グリル
５５    ボタン部
６０    吸入駆動部
６１    クロスフローファン
６５    吸入促進部
７０    感知部
７１    温度センサー
７８    湿度センサー
８０    メインボード
９０    ダクト
９５    表示部
９８    作動表示窓
【図１】
2009285208.tif 000003
【図２】
2009285208.tif 000004
【図３】
2009285208.tif 000005
【図４】
2009285208.tif 000006
【図５】
2009285208.tif 000007
【図６】
2009285208.tif 000008
【図７】
2009285208.tif 000009